(57)【要約】【課題】水没時に、誤動作やウィンドウの上昇動作を防止しつつ、ウィンドウの下降動作を確保できるパワーウィンドウ装置を提供する。【解決手段】パワーウィンドウ装置１０１は、下降スイッチＳＷ１、ＳＷ２及び上昇スイッチＳＷ３、ＳＷ４のそれぞれが操作されたときに第１及び第２電圧値を有する操作信号を出力し、スイッチ水没検出回路１１により水没を検出したときに第３電圧値を有するスイッチ水没検出信号を出力するスイッチ装置１と、入力された操作信号の電圧値に基づき、ウィンドウガラスを下降動作及び上昇動作させる制御を行う制御装置２とを有する。制御装置２は、スイッチ水没検出信号が一旦入力された後は、正常時制御を行わずに許可信号を生成し、且つ、この許可信号を生成した状態において、スイッチ装置１から第１電圧値を有する操作信号が入力されたときに、ウィンドウガラスを下降動作させる。【選択図】図１
2018135726.tif 000002
【特許請求の範囲】
【請求項１】
車両のウィンドウガラスを下降動作及び上昇動作させるためのパワーウィンドウ装置であって、
前記ウィンドウガラスを下降動作させるための下降スイッチと前記ウィンドウガラスを上昇動作させるための上昇スイッチとを備え、前記下降スイッチが操作されたときと前記上昇スイッチが操作されたときとで異なる電圧値を有する操作信号を出力するスイッチ装置と、
前記スイッチ装置と別体に構成され、前記スイッチ装置と一の信号線により接続された制御装置であって、この制御装置は、前記信号線を介して前記スイッチ装置から入力された前記操作信号の電圧値に基づき、前記ウィンドウガラスを下降動作及び上昇動作させるための駆動モータを制御する前記制御装置と、を備え、
前記スイッチ装置は、更に、
前記下降スイッチが操作されたときに第１電圧値を有する前記操作信号を出力し、且つ、前記上昇スイッチが操作されたときに前記第１電圧値とは異なる第２電圧値を有する前記操作信号を出力するスイッチ入力回路と、
自身内部への水の浸入を検出したときに前記第１及び第２電圧値とは異なる第３電圧値を有するスイッチ水没検出信号を出力するスイッチ水没検出回路と、を備え、
前記制御装置は、更に、
前記スイッチ装置の前記スイッチ入力回路から前記操作信号が入力されたときに、この操作信号が有する電圧値に応じて前記ウィンドウガラスを下降動作又は上昇動作させるように前記駆動モータを駆動する正常時制御を行い、且つ、前記スイッチ装置の前記スイッチ水没検出回路から前記スイッチ水没検出信号が一旦入力された後は、前記正常時制御を行わず、所定の許可信号を出力する制御回路と、
前記制御回路から前記許可信号が入力され、且つ、前記スイッチ装置の前記スイッチ入力回路から前記第１電圧値を有する前記操作信号が入力されたときに、前記ウィンドウガラスを下降動作させるように前記駆動モータを駆動する強制駆動回路と、を備える、
ことを特徴とするパワーウィンドウ装置。
【請求項２】
前記スイッチ装置の前記スイッチ入力回路は、前記下降スイッチが操作されたときに、第１抵抗値を有する第１回路を形成して、前記第１電圧値を有する前記操作信号を出力するよう構成され、且つ、前記上昇スイッチが操作されたときに、前記第１抵抗値とは異なる第２抵抗値を有する第２回路を形成して、前記第２電圧値を有する前記操作信号を出力するよう構成され、
前記スイッチ装置の前記スイッチ水没検出回路は、自身内部に水が浸入したときに、前記第１及び第２抵抗値とは異なる第３抵抗値を有する第３回路を形成して、前記第３電圧値を有する前記スイッチ水没検出信号を出力するよう構成され、
前記スイッチ装置の前記スイッチ入力回路及び前記スイッチ水没検出回路の構成により、前記第３電圧値が前記第１電圧値よりも大きく且つ前記第２電圧値よりも小さくなっている、
請求項１に記載のパワーウィンドウ装置。
【請求項３】
前記スイッチ装置の前記スイッチ入力回路は、前記スイッチ水没検出回路内部に水が浸入して前記第３回路が形成された後は、前記下降スイッチが操作されたときには前記第１回路を形成して前記第１電圧値を出力する一方で、前記上昇スイッチが操作されても前記第２回路を形成せずに前記第３電圧値を出力するよう構成されている、
請求項２に記載のパワーウィンドウ装置。
【請求項４】
前記制御装置の前記強制駆動回路は、
前記スイッチ装置から入力された前記操作信号の電圧値と基準電圧値とを比較することで、前記第１電圧値を有する前記操作信号を検出する比較回路を備え、
前記許可信号が入力され且つ前記比較回路が前記第１電圧値を有する前記操作信号を検出したときに、前記ウィンドウガラスを下降動作させるように前記駆動モータを駆動する、
請求項１乃至３のいずれか一項に記載のパワーウィンドウ装置。
【請求項５】
前記制御装置は、更に、自身内部への水の浸入を検出する制御装置水没検出回路を備え、
前記制御装置の前記制御回路は、前記制御装置水没検出回路が水の浸入を検出したときにも、前記許可信号を前記強制駆動回路に出力する、
請求項１乃至４のいずれか一項に記載のパワーウィンドウ装置。
【請求項６】
車両のウィンドウガラスを下降動作及び上昇動作させるためのパワーウィンドウ装置であって、
前記ウィンドウガラスを下降動作させるための下降スイッチと前記ウィンドウガラスを上昇動作させるための上昇スイッチとを備え、前記下降スイッチが操作されたときと前記上昇スイッチが操作されたときとで異なる電圧値を有する操作信号を出力するスイッチ装置と、
前記スイッチ装置と別体に構成され、前記スイッチ装置と第１信号線及び第２信号線により接続された制御装置であって、この制御装置は、前記第１信号線を介して前記スイッチ装置から前記操作信号が入力されて、この操作信号の電圧値に基づき、前記ウィンドウガラスを下降動作及び上昇動作させるための駆動モータを制御する前記制御装置と、を備え、
前記スイッチ装置は、更に、
前記下降スイッチが操作されたときに第１電圧値を有する前記操作信号を前記第１信号線に出力し、且つ、前記上昇スイッチが操作されたときに前記第１電圧値とは異なる第２電圧値を有する前記操作信号を前記第１信号線に出力するスイッチ入力回路と、
自身内部への水の浸入を検出したときに前記第１及び第２電圧値とは異なる第３電圧値を有するスイッチ水没検出信号を前記第１信号線に出力するスイッチ水没検出回路と、を備え、
前記スイッチ装置の前記スイッチ入力回路は、更に、前記スイッチ水没検出回路が水の浸入を検出した後は、前記下降スイッチが操作されたときに所定信号を前記第２信号線に出力し、
前記制御装置は、更に、
前記スイッチ装置の前記スイッチ入力回路から前記操作信号が入力されたときに、この操作信号が有する電圧値に応じて前記ウィンドウガラスを下降動作又は上昇動作させるように前記駆動モータを駆動する正常時制御を行い、且つ、前記スイッチ装置の前記スイッチ水没検出回路から前記スイッチ水没検出信号が一旦入力された後は、前記正常時制御を行わず、所定の許可信号を出力する制御回路と、
前記制御回路から前記許可信号が入力され、且つ、前記スイッチ装置の前記スイッチ入力回路から前記第２信号線を介して前記所定信号が入力されたときに、前記ウィンドウガラスを下降動作させるように前記駆動モータを駆動する前記強制駆動回路と、を備える、
ことを特徴とするパワーウィンドウ装置。
【請求項７】
前記スイッチ装置の前記スイッチ入力回路は、前記下降スイッチが操作されたときに、第１抵抗値を有する第１回路を形成して、前記第１電圧値を有する前記操作信号を出力するよう構成され、且つ、前記上昇スイッチが操作されたときに、前記第１抵抗値とは異なる第２抵抗値を有する第２回路を形成して、前記第２電圧値を有する前記操作信号を出力するよう構成され、
前記スイッチ装置の前記スイッチ水没検出回路は、自身内部に水が浸入したときに、前記第１及び第２抵抗値とは異なる第３抵抗値を有する第３回路を形成して、前記第３電圧値を有する前記スイッチ水没検出信号を出力するよう構成され、
前記スイッチ装置の前記スイッチ入力回路及び前記スイッチ水没検出回路の構成により、前記第３電圧値が前記第１電圧値よりも大きく且つ前記第２電圧値よりも小さくなっている、
請求項６に記載のパワーウィンドウ装置。
【請求項８】
前記スイッチ装置の前記スイッチ入力回路は、前記スイッチ水没検出回路が水の浸入を検出した後は、前記下降スイッチが操作されたときには前記所定信号を前記第２信号線に出力する一方で、前記上昇スイッチが操作されても前記所定信号を前記第２信号線に出力しないように構成されている、
請求項７に記載のパワーウィンドウ装置。
【発明の詳細な説明】
【技術分野】
【０００１】
本発明は、パワーウィンドウ装置に係わり、特に、車両のウィンドウガラスを下降動作及び上昇動作させて開閉するためのパワーウィンドウ装置に関する。
【背景技術】
【０００２】
駆動モータ（電動モータ）により車両のウィンドウを開閉するパワーウィンドウ装置においては、操作スイッチの操作状況に応じて、モータを正転または逆転させ、ウィンドウの開閉を行うようにしている。例えば、操作スイッチを上昇側に操作すると、モータが正転してウィンドウが閉じ、操作スイッチを下降側に操作すると、モータが逆転してウィンドウが開くようになっている。モータの正転と逆転の制御は、操作スイッチからの操作信号に基づき、モータ駆動回路においてモータに流れる電流の方向を切り替えることにより行われる。
【０００３】
例えば、特許文献１には、操作スイッチなどを備えるスイッチ装置（スイッチ部）と、スイッチ装置内の操作スイッチの操作に基づき、ウィンドウを駆動するモータを制御する制御装置（モータＥＣＵ部）とが別体に構成されたパワーウィンドウ装置が開示されている。このようにスイッチ装置と制御装置とを別体に構成すると、装置が故障したときに（特にスイッチ装置が故障する傾向にある）、装置全体を交換せずに、スイッチ装置及び制御装置を別々に交換すればよいので、修理コストを低減することができる。
【０００４】
他方で、パワーウィンドウ装置では、装置が被水した場合に、誤動作などを防止できるようにすることが望ましい。この点、特許文献１に記載されたパワーウィンドウ装置では、制御装置に防水対策を施し、且つ、被水時に操作者の意図に反してウィンドウが上昇又は下降されるのを防止するように対策を施すことで、装置の被水に対処している。
【先行技術文献】
【特許文献】
【０００５】
【特許文献１】特開２００４−３３９７０８号公報
【発明の概要】
【発明が解決しようとする課題】
【０００６】
ところで、パワーウィンドウ装置では、特に車両が水没したときに、装置の誤動作やウィンドウの上昇動作を防止しつつ、乗員が車両から脱出できるようにすべく、ウィンドウの下降動作を確保できるように対策を施すことが望ましい。上記の特許文献１に記載されたパワーウィンドウ装置のようにスイッチ装置と制御装置とが別体に構成されていると、このようなウィンドウの下降動作を確保するための対策を、スイッチ装置及び制御装置の両方に施す必要がある。特許文献１に記載されたパワーウィンドウ装置では、制御装置に防水対策を施しているが、完全に防水することが難しいことから、信頼性の点で課題がある。つまり、防水しきれずに水が浸入した場合に、ウィンドウの下降動作が確保されない可能性がある。また、制御装置の防水対策を強化しようとすると、コストが高くなってしまう。
【０００７】
本発明は、上述した従来技術の問題点を解決するためになされたものであり、スイッチ装置と制御装置とが別体に構成されたパワーウィンドウ装置において、制御装置に特別な防水対策を施さなくても、水没したときに、装置の誤動作やウィンドウの上昇動作を防止しつつ、ウィンドウの下降動作を適切に確保することを目的とする。
【課題を解決するための手段】
【０００８】
上記の目的を達成するために、本発明は、車両のウィンドウガラスを下降動作及び上昇動作させるためのパワーウィンドウ装置であって、ウィンドウガラスを下降動作させるための下降スイッチとウィンドウガラスを上昇動作させるための上昇スイッチとを備え、下降スイッチが操作されたときと上昇スイッチが操作されたときとで異なる電圧値を有する操作信号を出力するスイッチ装置と、スイッチ装置と別体に構成され、スイッチ装置と一の信号線により接続された制御装置であって、この制御装置は、信号線を介してスイッチ装置から入力された操作信号の電圧値に基づき、ウィンドウガラスを下降動作及び上昇動作させるための駆動モータを制御する制御装置と、を備え、スイッチ装置は、更に、下降スイッチが操作されたときに第１電圧値を有する操作信号を出力し、且つ、上昇スイッチが操作されたときに第１電圧値とは異なる第２電圧値を有する操作信号を出力するスイッチ入力回路と、自身内部への水の浸入を検出したときに第１及び第２電圧値とは異なる第３電圧値を有するスイッチ水没検出信号を出力するスイッチ水没検出回路と、を備え、制御装置は、更に、スイッチ装置のスイッチ入力回路から操作信号が入力されたときに、この操作信号が有する電圧値に応じてウィンドウガラスを下降動作又は上昇動作させるように駆動モータを駆動する正常時制御を行い、且つ、スイッチ装置のスイッチ水没検出回路からスイッチ水没検出信号が一旦入力された後は、正常時制御を行わず、所定の許可信号を出力する制御回路と、制御回路から許可信号が入力され、且つ、スイッチ装置のスイッチ入力回路から第１電圧値を有する操作信号が入力されたときに、ウィンドウガラスを下降動作させるように駆動モータを駆動する強制駆動回路と、を備える、ことを特徴とする。
【０００９】
このように構成された本発明によれば、スイッチ装置と制御装置とが別体に構成されたパワーウィンドウ装置において、制御装置が、スイッチ装置の水没検出回路からスイッチ水没検出信号が入力されたときに、正常時制御を行わないようにして許可信号を生成し、この許可信号を生成した状態において、スイッチ装置からウィンドウを下降動作させるための第１電圧値を有する操作信号が入力されたときに、ウィンドウガラスを下降動作させるように駆動モータを駆動する。これにより、制御装置に特別な防水対策を施さなくても、水没時において、装置の誤動作やウィンドウの上昇動作を防止しつつ、ウィンドウの下降動作を適切に確保することができる。特に、本発明によれば、強制駆動回路を制御装置内に設けることで、水没時において、制御装置内の制御回路を介さずに、この強制駆動回路によってウィンドウガラスを下降動作させるように駆動モータを直接駆動することができる。よって、たとえ水没時に制御回路が故障したとしても、装置の誤動作やウィンドウの上昇動作を防止しつつ、ウィンドウの下降動作を適切に確保することができる。
【００１０】
本発明において、好ましくは、スイッチ装置のスイッチ入力回路は、下降スイッチが操作されたときに、第１抵抗値を有する第１回路を形成して、第１電圧値を有する操作信号を出力するよう構成され、且つ、上昇スイッチが操作されたときに、第１抵抗値とは異なる第２抵抗値を有する第２回路を形成して、第２電圧値を有する操作信号を出力するよう構成され、スイッチ装置のスイッチ水没検出回路は、自身内部に水が浸入したときに、第１及び第２抵抗値とは異なる第３抵抗値を有する第３回路を形成して、第３電圧値を有するスイッチ水没検出信号を出力するよう構成され、スイッチ装置のスイッチ入力回路及びスイッチ水没検出回路の構成により、第３電圧値が第１電圧値よりも大きく且つ第２電圧値よりも小さくなっている。
このように構成された本発明によれば、スイッチが操作されたときに出力される操作信号の第１及び第２電圧値と、水没検出回路が水の浸入を検出したときに出力されるスイッチ水没検出信号の第３電圧値とが異なるようにスイッチ装置を回路構成しているので、制御装置側でスイッチ装置の水没を適切に判別することができる。
【００１１】
本発明において、好ましくは、スイッチ装置のスイッチ入力回路は、スイッチ水没検出回路内部に水が浸入して第３回路が形成された後は、下降スイッチが操作されたときには第１回路を形成して第１電圧値を出力する一方で、上昇スイッチが操作されても第２回路を形成せずに第３電圧値を出力するよう構成されている。
このように構成された本発明によれば、スイッチ装置が水没したときに、ウィンドウの下降動作を確保しつつ、ウィンドウの上昇動作を確実に防止することができる。
【００１２】
本発明において、好ましくは、制御装置の強制駆動回路は、スイッチ装置から入力された操作信号の電圧値と基準電圧値とを比較することで、第１電圧値を有する操作信号を検出する比較回路を備え、許可信号が入力され且つ比較回路が第１電圧値を有する操作信号を検出したときに、ウィンドウガラスを下降動作させるように駆動モータを駆動する。
このように構成された本発明によれば、制御装置内の比較回路によって、第１電圧値を有する操作信号が制御装置に入力されたことを検出するので、水没後においても（例えば水没により制御回路が故障した場合にも）、ウィンドウを下降動作させるために下降スイッチが操作されたことを制御装置側で適切に判別することができる。
【００１３】
本発明において、好ましくは、制御装置は、更に、自身内部への水の浸入を検出する制御装置水没検出回路を備え、制御装置の制御回路は、制御装置水没検出回路が水の浸入を検出したときにも、許可信号を強制駆動回路に出力する。
このように構成された本発明によれば、スイッチ装置だけでなく、制御装置にも水没検出回路を設けているので、スイッチ装置及び制御装置のどちらが先に水没しても、各々の水没を適切に検出することができる。よって、スイッチ装置及び制御装置のどちらが先に水没しても、装置の誤動作やウィンドウの上昇動作を防止しつつ、ウィンドウの下降動作を適切に確保することができる。
【００１４】
他の観点では、本発明は、車両のウィンドウガラスを下降動作及び上昇動作させるためのパワーウィンドウ装置であって、ウィンドウガラスを下降動作させるための下降スイッチとウィンドウガラスを上昇動作させるための上昇スイッチとを備え、下降スイッチが操作されたときと上昇スイッチが操作されたときとで異なる電圧値を有する操作信号を出力するスイッチ装置と、スイッチ装置と別体に構成され、スイッチ装置と第１信号線及び第２信号線により接続された制御装置であって、この制御装置は、第１信号線を介してスイッチ装置から操作信号が入力されて、この操作信号の電圧値に基づき、ウィンドウガラスを下降動作及び上昇動作させるための駆動モータを制御する制御装置と、を備え、スイッチ装置は、更に、下降スイッチが操作されたときに第１電圧値を有する操作信号を第１信号線に出力し、且つ、上昇スイッチが操作されたときに第１電圧値とは異なる第２電圧値を有する操作信号を第１信号線に出力するスイッチ入力回路と、自身内部への水の浸入を検出したときに第１及び第２電圧値とは異なる第３電圧値を有するスイッチ水没検出信号を第１信号線に出力するスイッチ水没検出回路と、を備え、スイッチ装置のスイッチ入力回路は、更に、スイッチ水没検出回路が水の浸入を検出した後は、下降スイッチが操作されたときに所定信号を第２信号線に出力し、制御装置は、更に、スイッチ装置のスイッチ入力回路から操作信号が入力されたときに、この操作信号が有する電圧値に応じてウィンドウガラスを下降動作又は上昇動作させるように駆動モータを駆動する正常時制御を行い、且つ、スイッチ装置のスイッチ水没検出回路からスイッチ水没検出信号が一旦入力された後は、正常時制御を行わず、所定の許可信号を出力する制御回路と、制御回路から許可信号が入力され、且つ、スイッチ装置のスイッチ入力回路から第２信号線を介して所定信号が入力されたときに、ウィンドウガラスを下降動作させるように駆動モータを駆動する強制駆動回路と、を備える、ことを特徴とする。
【００１５】
このように構成された本発明によれば、スイッチ装置と制御装置とが別体に構成されたパワーウィンドウ装置において、制御装置が、スイッチ装置の水没検出回路からスイッチ水没検出信号が入力されたときに、正常時制御を行わないようにして許可信号を生成し、この許可信号を生成した状態において、スイッチ装置から第２信号線を介して所定信号が入力されたときに、ウィンドウガラスを下降動作させるように駆動モータを駆動する。これにより、制御装置に特別な防水対策を施さなくても、水没したときに、装置の誤動作やウィンドウの上昇動作を防止しつつ、ウィンドウの下降動作を適切に確保することができる。特に、本発明によれば、強制駆動回路を制御装置内に設けることで、水没時において、制御装置内の制御回路を介さずに、この強制駆動回路によってウィンドウガラスを下降動作させるように駆動モータを直接駆動することができる。よって、たとえ水没時に制御回路が故障したとしても、装置の誤動作やウィンドウの上昇動作を防止しつつ、ウィンドウの下降動作を適切に確保することができる。
【００１６】
本発明において、好ましくは、スイッチ装置のスイッチ入力回路は、下降スイッチが操作されたときに、第１抵抗値を有する第１回路を形成して、第１電圧値を有する操作信号を出力するよう構成され、且つ、上昇スイッチが操作されたときに、第１抵抗値とは異なる第２抵抗値を有する第２回路を形成して、第２電圧値を有する操作信号を出力するよう構成され、スイッチ装置のスイッチ水没検出回路は、自身内部に水が浸入したときに、第１及び第２抵抗値とは異なる第３抵抗値を有する第３回路を形成して、第３電圧値を有するスイッチ水没検出信号を出力するよう構成され、スイッチ装置のスイッチ入力回路及びスイッチ水没検出回路の構成により、第３電圧値が第１電圧値よりも大きく且つ第２電圧値よりも小さくなっている。
このように構成された本発明によれば、スイッチが操作されたときに出力される操作信号の第１及び第２電圧値と、水没検出回路が水の浸入を検出したときに出力されるスイッチ水没検出信号の第３電圧値とが異なるようにスイッチ装置を回路構成しているので、制御装置側でスイッチ装置の水没を適切に判別することができる。
【００１７】
本発明において、好ましくは、スイッチ装置のスイッチ入力回路は、スイッチ水没検出回路が水の浸入を検出した後は、下降スイッチが操作されたときには所定信号を第２信号線に出力する一方で、上昇スイッチが操作されても所定信号を第２信号線に出力しないように構成されている。
このように構成された本発明によれば、スイッチ装置が水没したときに、ウィンドウの下降動作を確保しつつ、ウィンドウの上昇動作を確実に防止することができる。
【発明の効果】
【００１８】
本発明によれば、スイッチ装置と制御装置とが別体に構成されたパワーウィンドウ装置において、制御装置に特別な防水対策を施さなくても、水没したときに、装置の誤動作やウィンドウの上昇動作を防止しつつ、ウィンドウの下降動作を適切に確保することができる。
【図面の簡単な説明】
【００１９】
【図１】本発明の第１実施形態によるパワーウィンドウ装置の回路図である。
【図２】本発明の第１実施形態によるパワーウィンドウ装置のスイッチ装置が先に水没したときの回路状態を示す図である。
【図３】本発明の第１実施形態によるパワーウィンドウ装置の制御装置が先に水没したときの回路状態を示す図である。
【図４】本発明の第１実施形態によるパワーウィンドウ装置において通常時及び水没時に各スイッチのオン／オフを切り替えたときの電圧値の変化を示すタイムチャートである。
【図５】本発明の第２実施形態によるパワーウィンドウ装置の回路図である。
【図６】本発明の第２実施形態によるパワーウィンドウ装置のスイッチ装置が先に水没したときの回路状態を示す図である。
【図７】本発明の第２実施形態によるパワーウィンドウ装置の制御装置が先に水没したときの回路状態を示す図である。
【発明を実施するための形態】
【００２０】
以下、添付図面を参照して、本発明の実施形態によるパワーウィンドウ装置について説明する。
【００２１】
＜第１実施形態＞
まず、図１を参照して、本発明の第１実施形態によるパワーウィンドウ装置の構成について説明する。図１は、本発明の第１実施形態によるパワーウィンドウ装置を概略的に示す回路図である。
【００２２】
図１に示すように、第１実施形態によるパワーウィンドウ装置１０１は、複数のスイッチＳＷ１〜ＳＷ４を備えるスイッチ装置１と、このスイッチ装置１と別体に構成され、スイッチ装置１と一の信号線３により接続された制御装置２と、制御装置２により制御されて、車両のウィンドウ（不図示）を下降動作及び上昇動作させる駆動モータ４と、を有する。
【００２３】
スイッチ装置１は、ウィンドウを自動で下降動作させる（換言するとウィンドウを一気に下降動作させる）ためのスイッチＳＷ１と、ウィンドウを手動で下降動作させる（換言するとウィンドウを段階的に下降動作させる）ためのスイッチＳＷ２と、ウィンドウを自動で上昇動作させる（換言するとウィンドウを一気に上昇動作させる）ためのスイッチＳＷ３と、ウィンドウを手動で上昇動作させる（換言するとウィンドウを段階的に上昇動作させる）ためのスイッチＳＷ４と、を有する。スイッチＳＷ１、ＳＷ２は、本発明における下降スイッチの一例に相当し、スイッチＳＷ３、ＳＷ４は、本発明における上昇スイッチの一例に相当する。
【００２４】
スイッチＳＷ１は、一端が信号線３に接続され、且つ、他端がグランド線ＧＬ１を介してグランドに接続されている。スイッチＳＷ２は、一端が抵抗Ｒ１を介して信号線３に接続され、且つ、他端がグランド線ＧＬ１を介してグランドに接続されている。スイッチＳＷ３は、一端が抵抗Ｒ１、Ｒ２、Ｒ３を介して信号線３に接続され、且つ、他端がグランド線ＧＬ１を介してグランドに接続されている。スイッチＳＷ４は、一端が抵抗Ｒ１、Ｒ２、Ｒ３、Ｒ４を介して信号線３に接続され、且つ、他端がグランド線ＧＬ１を介してグランドに接続されている。
【００２５】
このように、並列に設けたスイッチＳＷ１〜ＳＷ４間に抵抗Ｒ１〜Ｒ４を設けることで、スイッチＳＷ１〜ＳＷ４のそれぞれがオンになったときに形成される回路の抵抗値が変わる。具体的には、スイッチＳＷ１をオンにしたときには抵抗Ｒ１〜Ｒ４を含まない回路が形成され、スイッチＳＷ２をオンにしたときには抵抗Ｒ１を含む回路が形成され、スイッチＳＷ３をオンにしたときには抵抗Ｒ１〜Ｒ３を含む回路が形成され、スイッチＳＷ４をオンにしたときには抵抗Ｒ１〜Ｒ４を含む回路が形成される。これにより、スイッチＳＷ１〜ＳＷ４のそれぞれがオンになったときに、信号線３における電位、つまり信号線３を介して制御装置２へと出力される操作信号の電圧値が変わる。ここで、スイッチＳＷ１〜ＳＷ４のそれぞれがオンとなったときに制御装置２へと出力される操作信号の電圧値をＶ１〜Ｖ４と表記すると、これら電圧値Ｖ１〜Ｖ４の関係は「Ｖ１＜Ｖ２＜Ｖ３＜Ｖ４」となる。電圧値Ｖ１、Ｖ２は、本発明における第１電圧値の一例に相当し、電圧値Ｖ３、Ｖ４は、本発明における第２電圧値の一例に相当する。また、スイッチＳＷ１〜ＳＷ４及び抵抗Ｒ１〜Ｒ４は、本発明におけるスイッチ入力回路の一例に相当する。
【００２６】
更に、スイッチ装置１は、自身内部への水の浸入を検出可能に構成された水没検出回路１１（スイッチ水没検出回路に相当する）を有する。この水没検出回路１１は、２つの離間したパッド（導体としての２つの電極に相当する）を備えており、内部に水が浸入したときに２つのパッド間に水が満たされて、この水を介して電流が流れることで、自身内部への水の浸入（スイッチ装置１の水没に相当する）を検出できるようになっている。水没検出回路１１は、一端がグランドに接続され、且つ、他端が抵抗Ｒ５を介してトランジスタＱ１のベースに接続され、このトランジスタＱ１のエミッタは、スイッチＳＷ１と信号線３との間に接続されている。また、トランジスタＱ１のベースとエミッタとの間には、抵抗Ｒ６が更に接続されている。そして、トランジスタＱ１のコレクタは、抵抗Ｒ７を介してトランジスタＱ２のベースに接続され、このトランジスタＱ２のコレクタは、抵抗Ｒ２と抵抗Ｒ３との間に接続されている。加えて、トランジスタＱ２のエミッタは、グランド線ＧＬ１を介してグランドに接続され、トランジスタＱ２のベースとエミッタとの間には、抵抗Ｒ８が更に接続されている。
【００２７】
このような回路構成により、水没検出回路１１が水の浸入を検出したとき、つまり水没検出回路１１内に浸入した水により２つのパッドが導通したときに、トランジスタＱ１がオンとなり、それによりトランジスタＱ２もオンとなる。その結果、抵抗Ｒ２と抵抗Ｒ３との間がグランドに接続されることとなる。これは、並列して設けられたスイッチＳＷ２とスイッチＳＷ３との間の仮想的なスイッチ（トランジスタＱ２）がオンになることに相当する。したがって、トランジスタＱ２がオンになったときにスイッチ装置１から信号線３を介して制御装置２へと出力される信号（スイッチ水没検出信号）の電圧値をＶ５とすると、この電圧値Ｖ５と上記した電圧値Ｖ１〜Ｖ４との関係は「Ｖ１＜Ｖ２＜Ｖ５＜Ｖ３＜Ｖ４」となる。こうなるのは、トランジスタＱ２がオンになったときには、抵抗Ｒ１、Ｒ２を含む回路が形成されるからである。なお、電圧値Ｖ５は、本発明における第３電圧値の一例に相当する。
【００２８】
次いで、制御装置２は、信号線３を介してスイッチ装置１から操作信号が入力され、操作信号の電圧値に基づき、ウィンドウガラスを下降動作及び上昇動作させるよう制御を行う制御回路２１と、この制御回路２１による制御のもとで駆動モータ４を駆動するモータ駆動回路２６と、自身内部への水の浸入を検出可能に構成された水没検出回路２７（制御装置水没検出回路に相当する）と、スイッチ装置１から入力された操作信号の電圧値と基準電圧値とを比較することで、電圧値Ｖ１又はＶ２を有する操作信号を検出する比較回路２８と、制御回路２１及び水没検出回路２７に接続されたＡＮＤ回路２２と、水没検出回路２７及び比較回路２８に接続されたＡＮＤ回路２４と、制御回路２１及びＡＮＤ回路２４に接続されたＯＲ回路２３と、を有する。制御回路２１と信号線３との間には、抵抗Ｒ９を介して電源Ｂ１（例えば５Ｖ又は１２Ｖ）が接続され、比較回路２８には、抵抗Ｒ１０を介して電源Ｂ２が接続されている（この抵抗Ｒ１０は、更に抵抗Ｒ１１を介してグランドに接続されている）。水没検出回路２７は、上記した水没検出回路１１と同様の構成を有しており、自身内部への水の浸入（制御装置２の水没に相当する）を検出できるようになっている。
【００２９】
制御回路２１は、通常時（スイッチ装置１又は制御装置２が水没していない状況を意味する。以下同様とする。）においては、スイッチ装置１から入力された操作信号の電圧値がＶ３又はＶ４である場合、つまりウィンドウを上昇動作させるためのスイッチＳＷ３又はＳＷ４が操作された場合、ウィンドウを上昇動作させるための信号をＡＮＤ回路２２に出力する。ＡＮＤ回路２２は、制御回路２１からウィンドウを上昇動作させるための信号が入力され、且つ、水没検出回路２７が水の浸入を検出していないことを示す信号が入力されたときに、ウィンドウを上昇動作させるための信号をモータ駆動回路２６に出力する。このときに、モータ駆動回路２６は、ウィンドウを上昇動作させるように駆動モータ４を駆動する。具体的には、モータ駆動回路２６は、制御回路２１に入力された操作信号の電圧値の大きさ（Ｖ３又はＶ４）に応じた態様にて、ウィンドウを上昇動作させるように駆動モータ４を駆動する。
【００３０】
また、制御回路２１は、通常時において、スイッチ装置１から入力された操作信号の電圧値がＶ１又はＶ２である場合、つまりウィンドウを下降動作させるためのスイッチＳＷ１又はＳＷ２が操作された場合、ウィンドウを下降動作させるための信号をＯＲ回路２３に出力する。ＯＲ回路２３は、制御回路２１からウィンドウを下降動作させるための信号が入力されたときに、ウィンドウを下降動作させるための信号をモータ駆動回路２６に出力する。このときに、モータ駆動回路２６は、ウィンドウを下降動作させるように駆動モータ４を駆動する。具体的には、モータ駆動回路２６は、制御回路２１に入力された操作信号の電圧値の大きさ（Ｖ１又はＶ２）に応じた態様にて、ウィンドウを下降動作させるように駆動モータ４を駆動する。
【００３１】
他方で、制御回路２１は、スイッチ装置１から電圧値Ｖ５を有するスイッチ水没検出信号が入力されたとき、つまりスイッチ装置１の水没検出回路１１が水の浸入を検出したときに、水没検出回路２７から許可信号を出力させるよう指示を出し、このときに水没検出回路２７は許可信号をＡＮＤ回路２２、２４に出力する。制御回路２１は、スイッチ装置１から電圧値Ｖ５を有するスイッチ水没検出信号が一旦入力されると、その後にスイッチ装置１から電圧値Ｖ１〜Ｖ４を有する操作信号が入力されても、上記したような通常時での操作信号に応じた制御（正常時制御）を行わないようにする。また、水没検出回路２７は、自身内部への水の浸入を検出したときにも、許可信号をＡＮＤ回路２２、２４に出力する。ＡＮＤ回路２２は、水没検出回路２７から許可信号が入力された場合には（つまり水没検出回路２７が水の浸入を検出していないことを示す信号が入力されていない場合）、たとえ制御回路２１からウィンドウを上昇動作させるための信号が入力されたとしても、ウィンドウを上昇動作させるための信号をモータ駆動回路２６に出力しない。
【００３２】
一方、ＡＮＤ回路２４には、上記した許可信号に加えて、比較回路２８が電圧値Ｖ１又はＶ２を有する操作信号を検出したときに、比較回路２８から当該操作信号が入力される。ＡＮＤ回路２４は、水没検出回路２７から許可信号が入力され、且つ比較回路２８から電圧値Ｖ１又はＶ２を有する操作信号が入力された場合に、ウィンドウを下降動作させるための信号をＯＲ回路２３に出力する。ＯＲ回路２３は、制御回路２１からウィンドウを下降動作させるための信号が入力されていなくても、ＡＮＤ回路２４からウィンドウを下降動作させるための信号が入力された場合には、当該信号をモータ駆動回路２６に出力する。このときに、モータ駆動回路２６は、ウィンドウを下降動作させるように駆動モータ４を駆動する。なお、ＯＲ回路２３、ＡＮＤ回路２４及び比較回路２８は、本発明における強制駆動回路の一例に相当する。
【００３３】
次に、図２及び図３を参照して、本発明の第１実施形態によるパワーウィンドウ装置１０１が水没したときの動作について具体的に説明する。
【００３４】
図２は、本発明の第１実施形態によるパワーウィンドウ装置１０１のスイッチ装置１が先に水没したときの回路状態を示す図である。図２に示すように、スイッチ装置１の水没検出回路１１が水の浸入を検出したとき、つまり水没検出回路１１内に浸入した水により２つのパッドが導通したときに、トランジスタＱ１がオンとなり、それによりトランジスタＱ２もオンとなる。その結果、抵抗Ｒ２と抵抗Ｒ３との間がグランドに接続されることとなる。こうしてトランジスタＱ２がオンになったときに（スイッチＳＷ１〜ＳＷ４はオフであるものとする）、上記した操作信号の電圧値Ｖ１〜Ｖ４とは異なる電圧値Ｖ５を有するスイッチ水没検出信号が、スイッチ装置１から信号線３を介して制御装置２に出力される。
【００３５】
また、上記のようにトランジスタＱ２がオンになった状態では、スイッチＳＷ３、ＳＷ４をオンにしても、スイッチ装置１から電圧値Ｖ３、Ｖ４を有する操作信号は出力されず、スイッチ装置１から電圧値Ｖ５を有するスイッチ水没検出信号が出力され続ける。スイッチＳＷ３、ＳＷ４をオンにしたときに形成される回路は、オンの状態にあるトランジスタＱ２により形成される回路と比較すると、抵抗Ｒ３、Ｒ４が付加された回路となっている。そのため、スイッチＳＷ３、ＳＷ４をオンにしても、スイッチＳＷ３、ＳＷ４を含む回路には電流が流れずに、トランジスタＱ２により形成される回路のほうに電流が流れるため、スイッチ装置１から電圧値Ｖ５を有するスイッチ水没検出信号が出力され続けるのである。
一方で、トランジスタＱ２がオンになった状態においても、スイッチＳＷ１、ＳＷ２をオンにした場合には、スイッチ装置１から電圧値Ｖ１、Ｖ２を有する操作信号が出力される。オンの状態にあるトランジスタＱ２により形成される回路は、スイッチＳＷ１、ＳＷ２をオンにしたときに形成される回路と比較すると、抵抗Ｒ１、Ｒ２が付加された回路となっている。そのため、スイッチＳＷ１、ＳＷ２をオンにすると、そのままスイッチＳＷ１、ＳＷ２を含む回路のほうに電流が流れて、スイッチ装置１から電圧値Ｖ１、Ｖ２を有する操作信号が出力されるのである。
【００３６】
次いで、制御装置２の制御回路２１は、上記のようにしてスイッチ装置１から電圧値Ｖ５を有するスイッチ水没検出信号が入力されたときに、水没検出回路２７から許可信号を出力させるよう指示を出す（矢印Ａ１１）。このときに、水没検出回路２７は、許可信号をＡＮＤ回路２２、２４に出力する（矢印Ａ１２、Ａ１３）。また、制御回路２１は、スイッチ装置１から電圧値Ｖ５を有する信号が一旦入力されると、その後にスイッチ装置１から電圧値Ｖ１〜Ｖ４を有する操作信号が入力されても、上述したような通常時での操作信号に応じた制御（正常時制御）を行わないようにする。
【００３７】
次いで、ＡＮＤ回路２２は、水没検出回路２７から許可信号が入力された場合、たとえ制御回路２１からウィンドウを上昇動作させるための信号が入力されたとしても（基本的には水没後には制御回路２１は当該信号を出力しない）、ウィンドウを上昇動作させるための信号をモータ駆動回路２６に出力しない。他方で、比較回路２８は、基準電圧値を用いた比較により、電圧値Ｖ１又はＶ２を有する操作信号が入力されたことを検出したときに、当該操作信号をＡＮＤ回路２４に出力する。そして、ＡＮＤ回路２４は、水没検出回路２７から許可信号が入力され、且つ比較回路２８から電圧値Ｖ１又はＶ２を有する操作信号が入力された場合に、ウィンドウを下降動作させるための信号をＯＲ回路２３に出力する。ＯＲ回路２３は、制御回路２１からウィンドウを下降動作させるための信号が入力されていなくても（基本的には水没後には制御回路２１は当該信号を出力しない）、ＡＮＤ回路２４からウィンドウを下降動作させるための信号が入力された場合には、当該信号をモータ駆動回路２６に出力する。その結果、モータ駆動回路２６は、ウィンドウを下降動作させるように駆動モータ４を駆動する。
【００３８】
次に、図３は、本発明の第１実施形態によるパワーウィンドウ装置１０１の制御装置２が先に水没したときの回路状態を示す図である。図３に示すように、制御装置２の水没検出回路２７は、自身内部への水の浸入を検出したときに、許可信号をＡＮＤ回路２２、２４に出力する（矢印Ａ２１、Ａ２２）。制御回路２１は、このように水没検出回路２７が水の浸入を一旦検出すると、その後にスイッチ装置１から電圧値Ｖ１〜Ｖ４を有する操作信号が入力されても、上述したような通常時での操作信号に応じた制御（正常時制御）を行わないようにする。
【００３９】
この後、図２と同様にして、各回路が動作する。すなわち、ＡＮＤ回路２２は、水没検出回路２７から許可信号が入力された場合、たとえ制御回路２１からウィンドウを上昇動作させるための信号が入力されたとしても、ウィンドウを上昇動作させるための信号をモータ駆動回路２６に出力しない。他方で、比較回路２８は、基準電圧値を用いた比較により、電圧値Ｖ１又はＶ２を有する操作信号が入力されたことを検出したときに、当該操作信号をＡＮＤ回路２４に出力する。そして、ＡＮＤ回路２４は、水没検出回路２７から許可信号が入力され、且つ比較回路２８から電圧値Ｖ１又はＶ２を有する操作信号が入力された場合に、ウィンドウを下降動作させるための信号をＯＲ回路２３に出力する。ＯＲ回路２３は、こうしてＡＮＤ回路２４からウィンドウを下降動作させるための信号が入力されたときに、当該信号をモータ駆動回路２６に出力する。その結果、モータ駆動回路２６は、ウィンドウを下降動作させるように駆動モータ４を駆動する。
【００４０】
次に、図４を参照して、本発明の第１実施形態によるパワーウィンドウ装置１０１における通常時及び水没時での電圧変化について説明する。図４は、本発明の第１実施形態によるパワーウィンドウ装置１０１において通常時及び水没時（スイッチ装置１が水没したとき）に各スイッチＳＷ１〜ＳＷ４のオン／オフを切り替えたときの電圧値のタイムチャートを示す。
【００４１】
図４に示すように、通常時において、スイッチＳＷ１〜ＳＷ４の全てをオフ、スイッチＳＷ２をオン、スイッチＳＷ１をオン、スイッチＳＷ２をオン、スイッチＳＷ１〜ＳＷ４の全てをオフ、スイッチＳＷ４をオン、スイッチＳＷ３をオン、スイッチＳＷ４をオン、スイッチＳＷ１〜ＳＷ４の全てをオフ、といった順にスイッチＳＷ１〜ＳＷ４を操作したものとする。この場合、スイッチ装置１から信号線３を介して制御装置２に出力される操作信号の電圧値は、Ｖ０、Ｖ２、Ｖ１、Ｖ２、Ｖ０、Ｖ４、Ｖ３、Ｖ４、Ｖ０、といった順にて変化する。電圧値Ｖ０〜Ｖ４の関係は、「Ｖ１＜Ｖ２＜Ｖ３＜Ｖ４＜Ｖ０」である。
【００４２】
また、スイッチ装置１の水没時において、スイッチＳＷ１〜ＳＷ４の全てをオフ、スイッチＳＷ２をオン、スイッチＳＷ１をオン、スイッチＳＷ２をオン、スイッチＳＷ１〜ＳＷ４の全てをオフ、スイッチＳＷ４をオン、スイッチＳＷ３をオン、スイッチＳＷ４をオン、スイッチＳＷ１〜ＳＷ４の全てをオフ、といった順にスイッチＳＷ１〜ＳＷ４を操作したものとする。この場合、スイッチ装置１から信号線３を介して制御装置２に出力される信号の電圧値は、Ｖ５、Ｖ２、Ｖ１、Ｖ２、Ｖ５、Ｖ５、Ｖ５、Ｖ５、Ｖ５、といった順にて変化する。電圧値Ｖ０〜Ｖ５の関係は、「Ｖ１＜Ｖ２＜Ｖ５＜Ｖ３＜Ｖ４＜Ｖ０」である。
【００４３】
上述したように、スイッチ装置１の水没時には、トランジスタＱ２がオンになることで、スイッチＳＷ１〜ＳＷ４の全てがオフである状態においても、電圧値Ｖ０ではなく電圧値Ｖ５を有するスイッチ水没検出信号がスイッチ装置１から出力される。そして、こうしてトランジスタＱ２がオンになった状態では、スイッチＳＷ３、ＳＷ４をオンにしても、スイッチ装置１から電圧値Ｖ３、Ｖ４を有する操作信号は出力されず、スイッチ装置１から電圧値Ｖ５を有するスイッチ水没検出信号が出力され続ける。一方で、トランジスタＱ２がオンになった状態においても、スイッチＳＷ１、ＳＷ２をオンにした場合には、スイッチ装置１から電圧値Ｖ１、Ｖ２を有する操作信号が出力される。
【００４４】
以上説明した第１実施形態によれば、スイッチ装置１と制御装置２とが別体に構成されたパワーウィンドウ装置１０１において、制御装置２が、スイッチ装置１の水没検出回路１１からスイッチ水没検出信号が入力されたときに、正常時制御を行わないようにして許可信号を生成し、この許可信号を生成した状態において、スイッチ装置１からウィンドウを下降動作させるための電圧値Ｖ１、Ｖ２を有する操作信号が入力されたときに、ウィンドウガラスを下降動作させるように駆動モータ４を駆動する。これにより、制御装置２に特別な防水対策を施さなくても、水没時において、装置の誤動作やウィンドウの上昇動作を防止しつつ、ウィンドウの下降動作を適切に確保することができる。
【００４５】
特に、第１実施形態によれば、ＯＲ回路２３、ＡＮＤ回路２４及び比較回路２８によって強制駆動回路を制御装置２内に構成することで、水没時において、制御装置２内の制御回路２１を介さずに、この強制駆動回路によってウィンドウガラスを下降動作させるように駆動モータ４を直接駆動することができる。よって、たとえ水没時に制御回路２１が故障したとしても、装置の誤動作やウィンドウの上昇動作を防止しつつ、ウィンドウの下降動作を適切に確保することができる。
【００４６】
また、第１実施形態によれば、スイッチＳＷ１〜ＳＷ４が操作されたときに出力される操作信号の電圧値Ｖ１〜Ｖ４と、水没検出回路１１が水の浸入を検出したときに出力されるスイッチ水没検出信号の電圧値Ｖ５とが異なるようにスイッチ装置１を回路構成しているので、制御装置２側でスイッチ装置１の水没を適切に判別することができる。加えて、第１実施形態によれば、制御装置２内の比較回路２８によって、電圧値Ｖ１、Ｖ２を有する操作信号が制御装置２に入力されたことを検出するので、水没後においても（例えば水没により制御回路２１が故障した場合にも）、ウィンドウを下降動作させるためにスイッチＳＷ１、ＳＷ２が操作されたことを制御装置２側で適切に判別することができる。
【００４７】
また、第１実施形態によれば、スイッチ装置１内の水没検出回路１１が水の浸入を検出した後は、ウィンドウを下降動作させるためのスイッチＳＷ１、ＳＷ２が操作されたときには、スイッチ装置１が電圧値Ｖ１、Ｖ２を有する操作信号を出力する一方で、ウィンドウを上昇動作させるためのスイッチＳＷ３、ＳＷ４が操作されたときには、スイッチ装置１が電圧値Ｖ３、Ｖ４を有する操作信号を出力せずに電圧値Ｖ５を有するスイッチ水没検出信号を出力し続けるように、スイッチ装置１が回路構成されているので、スイッチ装置１が水没したときに、ウィンドウの下降動作を確保しつつ、ウィンドウの上昇動作を確実に防止することができる。
【００４８】
また、第１実施形態によれば、スイッチ装置１だけでなく、制御装置２にも水没検出回路２７を設けているので、スイッチ装置１及び制御装置２のどちらが先に水没しても、各々の水没を適切に検出することができる。よって、スイッチ装置１及び制御装置２のどちらが先に水没しても、装置の誤動作やウィンドウの上昇動作を防止しつつ、ウィンドウの下降動作を適切に確保することができる。
【００４９】
＜第２実施形態＞
次に、本発明の第２実施形態によるパワーウィンドウ装置について説明する。以下では、第１実施形態と異なる構成及び制御について主に説明し、第１実施形態と同様の構成及び制御については説明を適宜省略する。つまり、ここで特に説明しない構成及び制御は、第２実施形態と同様であるものとする。作用効果についても同様である。
【００５０】
まず、図５を参照して、本発明の第２実施形態によるパワーウィンドウ装置の構成について説明する。図５は、本発明の第２実施形態によるパワーウィンドウ装置を概略的に示す回路図である。
【００５１】
図５に示すように、第２実施形態によるパワーウィンドウ装置１０２は、複数のスイッチＳＷ５〜ＳＷ８を備えるスイッチ装置３１と、このスイッチ装置３１と別体に構成され、スイッチ装置３１と２本の信号線３３、３４により接続された制御装置３２と、制御装置３２により制御されて、車両のウィンドウ（不図示）を下降動作及び上昇動作させる駆動モータ３５と、を有する。
【００５２】
スイッチ装置３１は、ウィンドウを自動で下降動作させるためのスイッチＳＷ５と、ウィンドウを手動で下降動作させるためのスイッチＳＷ６と、ウィンドウを自動で上昇動作させるためのスイッチＳＷ７と、ウィンドウを手動で上昇動作させるためのスイッチＳＷ８と、を有する。スイッチＳＷ５、ＳＷ６は、本発明における下降スイッチの一例に相当し、スイッチＳＷ７、ＳＷ８は、本発明における上昇スイッチの一例に相当する。
【００５３】
スイッチＳＷ５は、一端が信号線３３に接続され、且つ、他端がグランド線ＧＬ２を介してグランドに接続されている。スイッチＳＷ６は、一端が抵抗Ｒ２２を介して信号線３３に接続され、且つ、他端がグランド線ＧＬ２を介してグランドに接続されている。スイッチＳＷ７は、一端が抵抗Ｒ２２、Ｒ２３、Ｒ２４を介して信号線３３に接続され、且つ、他端がグランド線ＧＬ２を介してグランドに接続されている。これら抵抗Ｒ２２と抵抗Ｒ２３との間には、信号線３４が更に接続されている。スイッチＳＷ８は、一端が抵抗Ｒ２２、Ｒ２３、Ｒ２４、Ｒ２５を介して信号線３３に接続され、且つ、他端がグランド線ＧＬ２を介してグランドに接続されている。
【００５４】
このように、並列に設けたスイッチＳＷ５〜ＳＷ８間に抵抗Ｒ２２〜Ｒ２５を設けることで、スイッチＳＷ５〜ＳＷ８のそれぞれがオンになったときに形成される回路の抵抗値が変わる。具体的には、スイッチＳＷ５をオンにしたときにはＲ２２〜Ｒ２５を含まない回路が形成され、スイッチＳＷ６をオンにしたときには抵抗Ｒ２２を含む回路が形成され、スイッチＳＷ７をオンにしたときには抵抗Ｒ２２〜Ｒ２４を含む回路が形成され、スイッチＳＷ８をオンにしたときには抵抗Ｒ２２〜Ｒ２５を含む回路が形成される。これにより、スイッチＳＷ５〜ＳＷ８のそれぞれがオンになったときに、信号線３３における電位、つまり信号線３３を介して制御装置３２へと出力される操作信号の電圧値が変わる。ここで、上述した電圧値Ｖ１〜Ｖ４を、スイッチＳＷ５〜ＳＷ８のそれぞれがオンとなったときに制御装置３２へと出力される操作信号の電圧値にも適用すると、これら電圧値Ｖ１〜Ｖ４の関係も「Ｖ１＜Ｖ２＜Ｖ３＜Ｖ４」となる。スイッチＳＷ５〜ＳＷ８及び抵抗Ｒ２２〜Ｒ２５は、本発明におけるスイッチ入力回路の一例に相当する。
【００５５】
更に、スイッチ装置３１は、自身内部への水の浸入を検出可能に構成された水没検出回路３６（スイッチ水没検出回路に相当する）を有する。この水没検出回路３６は、上記した水没検出回路１１と同様の構成を有しており、自身内部への水の浸入（スイッチ装置３１の水没に相当する）を検出できるようになっている。水没検出回路３６は、一端がグランド線ＧＬ２を介してグランドに接続され、且つ、他端が抵抗Ｒ２７を介してトランジスタＱ２１のベースに接続されている（抵抗Ｒ２７には更に抵抗Ｒ２８及びコンデンサＣ１が接続されている）。トランジスタＱ２１のエミッタは、信号線３３に接続され、トランジスタＱ２１のコレクタは、トランジスタＱ２２のベースに接続されている。このトランジスタＱ２２のコレクタは、抵抗Ｒ２３と抵抗Ｒ２４との間に接続され、トランジスタＱ２２のエミッタは、グランド線ＧＬ２を介してグランドに接続されている。
【００５６】
このような回路構成により、水没検出回路３６が水の浸入を検出したとき、つまり水没検出回路３６内に浸入した水により２つのパッドが導通したときに、トランジスタＱ２１がオンとなり、それによりトランジスタＱ２２もオンとなる。その結果、抵抗Ｒ２３と抵抗Ｒ２４との間がグランドに接続されることとなる。これは、並列して設けられたスイッチＳＷ６とスイッチＳＷ７との間の仮想的なスイッチ（トランジスタＱ２２）がオンになることに相当する。したがって、トランジスタＱ２２がオンになったときにスイッチ装置３１から信号線３３を介して制御装置３２へと出力される信号（スイッチ水没検出信号）の電圧値にも上述したＶ５を適用すると、この電圧値Ｖ５と上記した電圧値Ｖ１〜Ｖ４との関係も「Ｖ１＜Ｖ２＜Ｖ５＜Ｖ３＜Ｖ４」となる。こうなるのは、トランジスタＱ２２がオンになったときには、抵抗Ｒ２２、Ｒ２３を含む回路が形成されるからである。
【００５７】
次いで、制御装置３２は、信号線３３を介してスイッチ装置３１から操作信号が入力され、操作信号の電圧値に基づき、ウィンドウガラスを下降動作及び上昇動作させるよう制御を行う制御回路３７と、この制御回路３７による制御のもとで駆動モータ３５を駆動するモータ駆動回路３８と、自身内部への水の浸入を検出可能に構成された水没検出回路３９（制御装置水没検出回路に相当する）と、制御装置３２内の電磁両立性（ＥＭＣ：Electromagnetic Compatibility）に対策するためのＥＭＣ対策フィルタ４０と、モータ駆動回路３８の電流を検出する電流検出回路４１と、駆動モータ３５への出力電圧を監視する電圧監視回路４２と、を有する。基本的には、制御回路３７とモータ駆動回路３８とは、抵抗３２が設けられた複数の配線により接続されている（それぞれ抵抗Ｒ３３を介してグランドに接続されている）。なお、制御装置３２は、上記した制御装置２と同様に、所定の電源（不図示）に接続されている。
【００５８】
制御回路３７は、通常時（スイッチ装置３１又は制御装置３２が水没していない状況を意味する。以下同様とする。）においては、スイッチ装置３１から入力された操作信号の電圧値がＶ３又はＶ４である場合、つまりウィンドウを上昇動作させるためのスイッチＳＷ７又はＳＷ８が操作された場合、抵抗Ｒ３２が設けられた配線を介して、ウィンドウを上昇動作させるための信号、ウィンドウを動作させる許可信号（上昇用及び下降用許可信号）、及びＰＷＭ（Pulse Width Modulation）信号を、モータ駆動回路３８に出力する。これにより、モータ駆動回路３８において、上昇用入力端子、上昇用及び下降用許可入力端子並びにＰＷＭ入力端子に「Ｈ」信号が入力され、且つ、下降用入力端子に「Ｌ」信号が入力される。そして、モータ駆動回路３８は、上昇用出力端子から「Ｈ」信号を出力し、下降用出力端子から「Ｌ」信号を出力する。その結果、駆動モータ３５は、ウィンドウを上昇動作させることとなる。
【００５９】
また、制御回路３７は、通常時において、スイッチ装置３１から入力された操作信号の電圧値がＶ１又はＶ２である場合、つまりウィンドウを下降動作させるためのスイッチＳＷ５又はＳＷ６が操作された場合、抵抗Ｒ３２が設けられた配線を介して、ウィンドウを下降動作させるための信号、ウィンドウを動作させる許可信号（上昇用及び下降用許可信号）、及びＰＷＭ信号を、モータ駆動回路３８に出力する。これにより、モータ駆動回路３８において、下降用入力端子、下降用及び上昇用許可入力端子並びにＰＷＭ入力端子に「Ｈ」信号が入力され、且つ、上昇用入力端子に「Ｌ」信号が入力される。そして、モータ駆動回路３８は、下降用出力端子から「Ｈ」信号を出力し、上昇用出力端子から「Ｌ」信号を出力する。その結果、駆動モータ３５は、ウィンドウを下降動作させることとなる。
【００６０】
他方で、水没検出回路３９は、一端がグランドに接続され、且つ、他端が抵抗Ｒ３１を介してトランジスタＱ２４のベースに接続されている。この水没検出回路３９は、上記した水没検出回路１１と同様の構成を有しており、自身内部への水の浸入（制御装置３２の水没に相当する）を検出できるようになっている。抵抗Ｒ３１は、更に、両端に抵抗Ｒ３０及びコンデンサＣ２がそれぞれ接続され、これら抵抗Ｒ３０及びコンデンサＣ２並びにトランジスタＱ２４のエミッタは、ＥＭＣ対策フィルタ４０に接続されている。特に、ＥＭＣ対策フィルタ４０を含めて、抵抗Ｒ３０、コンデンサＣ２及びトランジスタＱ２４のエミッタは、抵抗Ｒ２１を介して信号線３３に接続されている。また、水没検出回路３９は、その両端にトランジスタＱ２３のエミッタ及びコレクタが接続され、このトランジスタＱ２３のベースは、制御回路３７に接続されている。更に、トランジスタＱ２４のコレクタは、並列に設けられた抵抗Ｒ３６、Ｒ３７、Ｒ３８及びダイオードＤ１、Ｄ２、Ｄ３、Ｄ４を介して、モータ駆動回路３８に接続されている。加えて、トランジスタＱ２４のコレクタは、抵抗Ｒ３４を介して制御回路３７に接続され（この抵抗３４は更に抵抗Ｒ３５を介してグランドに接続されている）、且つ、トランジスタＱ２５のベースに接続されている。このトランジスタＱ２５のコレクタは、抵抗Ｒ３９を介してモータ駆動回路３８の上昇用入力端子に接続され、トランジスタＱ２５のエミッタは、信号線３４に接続されている。
【００６１】
水没検出回路３９が水の浸入を検出したとき、つまり水没検出回路３９内に浸入した水により２つのパッドが導通したときに、トランジスタＱ２４がオンになる。また、スイッチ装置３１から電圧値Ｖ５を有するスイッチ水没検出信号が入力されたとき、つまりスイッチ装置３１の水没検出回路３６が水の浸入を検出したときにも、制御回路３７がトランジスタＱ２３をオンにすることで（このときに制御回路３７がトランジスタＱ２３に出力する信号は本発明における許可信号の一例に相当する）、トランジスタＱ２４がオンになる。このようにトランジスタＱ２４がオンになると、抵抗Ｒ３６及びダイオードＤ１を介してモータ駆動回路３８の下降用入力端子に「Ｈ」信号が入力され、抵抗Ｒ３７及びダイオードＤ２を介してモータ駆動回路３８の上昇用入力端子に「Ｈ」信号が入力され、抵抗Ｒ３６及びダイオードＤ３を介してモータ駆動回路３８の下降用及び上昇用許可入力端子に「Ｈ」信号が入力され、抵抗Ｒ３８及びダイオードＤ４を介してモータ駆動回路３８のＰＷＭ入力端子に「Ｈ」信号が入力される。また、トランジスタＱ２４がオンになると、抵抗Ｒ３４を介して制御回路３７に信号が入力される。制御回路３７は、このような信号が一旦入力されると、その後にスイッチ装置３１から電圧値Ｖ１〜Ｖ４を有する操作信号が入力されても、上記したような通常時での操作信号に応じた制御（正常時制御）を行わないようにする。加えて、トランジスタＱ２４がオンになると、トランジスタＱ２５もオンになる。
【００６２】
こうしてトランジスタＱ２５がオンになった状態において、スイッチ装置３１のスイッチＳＷ５、ＳＷ６がオンになると、つまりウィンドウを下降動作させるためのスイッチＳＷ５、ＳＷ６が操作されると、比較的低い電圧値を有する信号（本発明における所定信号の一例に相当する。特にスイッチＳＷ６が操作された場合には当該信号の電圧値がほぼ０になる。）が信号線３４を介してトランジスタＱ２５に入力される。これにより、モータ駆動回路３８の上昇用入力端子に「Ｌ」信号が入力されることとなる、換言すると上昇用入力端子に入力される信号が「Ｈ」信号から「Ｌ」信号へと変化する。その結果、モータ駆動回路３８が、下降用出力端子から「Ｈ」信号を出力し、上昇用出力端子から「Ｌ」信号を出力することで、駆動モータ３５がウィンドウを下降動作させる。一方で、トランジスタＱ２５がオンになった状態において、スイッチ装置３１のスイッチＳＷ７、ＳＷ８がオンにされても、つまりウィンドウを上昇動作させるためのスイッチＳＷ７、ＳＷ８が操作されても、信号線３４を介してトランジスタＱ２５に入力される信号の電圧に変化は生じない。そのため、モータ駆動回路３８の上昇用入力端子に入力される信号は「Ｈ」信号のままである。したがって、下降用出力端子及び上昇用出力端子からの出力信号は「Ｈ」信号のままであるので、駆動モータ３５はウィンドウを動作させない。
なお、トランジスタＱ２４、Ｑ２５や抵抗Ｒ３６、Ｒ３７、Ｒ３８などを含む回路は、本発明における強制駆動回路の一例に相当する。
【００６３】
次に、図６及び図７を参照して、本発明の第２実施形態によるパワーウィンドウ装置１０２が水没したときの動作について具体的に説明する。
【００６４】
図６は、本発明の第２実施形態によるパワーウィンドウ装置１０２のスイッチ装置３１が先に水没したときの回路状態を示す図である。図６に示すように、スイッチ装置３１の水没検出回路３６が水の浸入を検出したとき、つまり水没検出回路３６内に浸入した水により２つのパッドが導通したときに、トランジスタＱ２１がオンとなり、それによりトランジスタＱ２２もオンとなる。その結果、抵抗Ｒ２３と抵抗Ｒ２４との間がグランドに接続されることとなる。こうしてトランジスタＱ２２がオンになったときに（スイッチＳＷ５〜ＳＷ８はオフであるものとする）、操作信号の電圧値Ｖ１〜Ｖ４とは異なる電圧値Ｖ５を有するスイッチ水没検出信号が、スイッチ装置３１から信号線３３を介して制御装置３２に出力される。
【００６５】
また、上記のようにトランジスタＱ２２がオンになった状態では、スイッチＳＷ７、ＳＷ８をオンにしても、スイッチ装置３１から電圧値Ｖ３、Ｖ４を有する操作信号は出力されず、スイッチ装置３１から電圧値Ｖ５を有するスイッチ水没検出信号が信号線３３に出力され続ける。スイッチＳＷ７、ＳＷ８をオンにしたときに形成される回路は、オンの状態にあるトランジスタＱ２２により形成される回路と比較すると、抵抗Ｒ２４、Ｒ２５が付加された回路となっている。そのため、スイッチＳＷ７、ＳＷ８をオンにしても、スイッチＳＷ７、ＳＷ８を含む回路には電流が流れずに、トランジスタＱ２２により形成される回路のほうに電流が流れるため、スイッチ装置３１から電圧値Ｖ５を有するスイッチ水没検出信号が出力され続けるのである。一方で、トランジスタＱ２２がオンになった状態においても、スイッチＳＷ５、ＳＷ６をオンにした場合には、スイッチ装置３１から電圧値Ｖ１、Ｖ２を有する操作信号が信号線３３に出力される。オンの状態にあるトランジスタＱ２２により形成される回路は、スイッチＳＷ５、ＳＷ６をオンにしたときに形成される回路と比較すると、抵抗Ｒ２２、Ｒ２３を含む回路となっている。そのため、スイッチＳＷ５、ＳＷ６をオンにすると、そのままスイッチＳＷ５、ＳＷ６を含む回路のほうに電流が流れて、スイッチ装置３１から電圧値Ｖ１、Ｖ２を有する操作信号が出力されるのである。
【００６６】
次いで、制御装置３２の制御回路３７は、上記のようにしてスイッチ装置３１から電圧値Ｖ５を有するスイッチ水没検出信号が入力されたときに、トランジスタＱ２３をオンにすることで（矢印Ａ３１）、トランジスタＱ２４がオンになる。このようにトランジスタＱ２４がオンになると、抵抗Ｒ３６及びダイオードＤ１を介してモータ駆動回路３８の下降用入力端子に「Ｈ」信号が入力され、抵抗Ｒ３７及びダイオードＤ２を介してモータ駆動回路３８の上昇用入力端子に「Ｈ」信号が入力され、抵抗Ｒ３６及びダイオードＤ３を介してモータ駆動回路３８の下降用及び上昇用許可入力端子に「Ｈ」信号が入力され、抵抗Ｒ３８及びダイオードＤ４を介してモータ駆動回路３８のＰＷＭ入力端子に「Ｈ」信号が入力される。また、トランジスタＱ２４がオンになると、トランジスタＱ２５もオンになる。制御回路３７は、上記のようにスイッチ装置３１から電圧値Ｖ５を有するスイッチ水没検出信号が入力されると、その後にたとえスイッチ装置３１から電圧値Ｖ１〜Ｖ４を有する操作信号が入力されても、上述したような通常時での操作信号に応じた制御（正常時制御）を行わないようにする。
【００６７】
こうしてトランジスタＱ２５がオンになった状態において、スイッチ装置３１のスイッチＳＷ５、ＳＷ６がオンになると、比較的低い電圧値を有する信号（特にスイッチＳＷ６が操作された場合には当該信号の電圧値はほぼ０になる）が信号線３４を介してトランジスタＱ２５に入力される。これにより、モータ駆動回路３８の上昇用入力端子に「Ｌ」信号が入力されることとなる、換言すると上昇用入力端子に入力される信号が「Ｈ」信号から「Ｌ」信号へと変化する。その結果、モータ駆動回路３８が、下降用出力端子から「Ｈ」信号を出力し、上昇用出力端子から「Ｌ」信号を出力することで、駆動モータ３５がウィンドウを下降動作させる。一方で、トランジスタＱ２５がオンになった状態において、スイッチ装置３１のスイッチＳＷ７、ＳＷ８がオンにされても、信号線３４を介してトランジスタＱ２５に入力される信号の電圧に変化は生じない。そのため、モータ駆動回路３８の上昇用入力端子に入力される信号は「Ｈ」信号のままである。したがって、下降用出力端子及び上昇用出力端子からの出力信号は「Ｈ」信号のままであるので、駆動モータ３５はウィンドウを動作させない。
【００６８】
次に、図７は、本発明の第２実施形態によるパワーウィンドウ装置１０２の制御装置３２が先に水没したときの回路状態を示す図である。図７に示すように、制御装置３２の水没検出回路３９が自身内部への水の浸入を検出したときに、つまり水没検出回路３９内に浸入した水により２つのパッドが導通したときに、トランジスタＱ２４がオンになる。このようにトランジスタＱ２４がオンになると、抵抗Ｒ３６及びダイオードＤ１を介してモータ駆動回路３８の下降用入力端子に「Ｈ」信号が入力され、抵抗Ｒ３７及びダイオードＤ２を介してモータ駆動回路３８の上昇用入力端子に「Ｈ」信号が入力され、抵抗Ｒ３６及びダイオードＤ３を介してモータ駆動回路３８の下降用及び上昇用許可入力端子に「Ｈ」信号が入力され、抵抗Ｒ３８及びダイオードＤ４を介してモータ駆動回路３８のＰＷＭ入力端子に「Ｈ」信号が入力される。また、トランジスタＱ２４がオンになると、抵抗Ｒ３４を介して制御回路３７に信号が入力される（矢印Ａ４１）。制御回路３７は、このような信号が一旦入力されると、その後にスイッチ装置３１から電圧値Ｖ１〜Ｖ４を有する操作信号が入力されても、上記したような通常時での操作信号に応じた制御（正常時制御）を行わないようにする。加えて、トランジスタＱ２４がオンになると、トランジスタＱ２５もオンになる。
【００６９】
こうしてトランジスタＱ２５がオンになった状態にも、図６と同様にして、各回路が動作する。すなわち、トランジスタＱ２５がオンになった状態において、スイッチ装置３１のスイッチＳＷ５、ＳＷ６がオンになると、比較的低い電圧値を有する信号（特にスイッチＳＷ６が操作された場合には当該信号の電圧値はほぼ０になる）が信号線３４を介してトランジスタＱ２５に入力されることで、上昇用入力端子に入力される信号が「Ｈ」信号から「Ｌ」信号へと変化する。その結果、モータ駆動回路３８が、下降用出力端子から「Ｈ」信号を出力し、上昇用出力端子から「Ｌ」信号を出力することで、駆動モータ３５がウィンドウを下降動作させる。一方で、トランジスタＱ２５がオンになった状態において、スイッチ装置３１のスイッチＳＷ７、ＳＷ８がオンにされても、信号線３４を介してトランジスタＱ２５に入力される信号の電圧は変化しないため、モータ駆動回路３８の上昇用入力端子に入力される信号は「Ｈ」信号のままである。したがって、下降用出力端子及び上昇用出力端子からの出力信号は「Ｈ」信号のままであるので、駆動モータ３５はウィンドウを動作させない。
【００７０】
以上説明した第２実施形態によれば、スイッチ装置３１と制御装置３２とが別体に構成されたパワーウィンドウ装置１０２において、制御装置３２が、スイッチ装置３１の水没検出回路３６からスイッチ水没検出信号が入力されたときに、正常時制御を行わないようにして許可信号を生成し、この許可信号を生成した状態において、スイッチ装置３１から信号線３４を介して所定信号が入力されたときに、ウィンドウガラスを下降動作させるように駆動モータ３５を駆動する。これにより、制御装置３２に特別な防水対策を施さなくても、水没時において、装置の誤動作やウィンドウの上昇動作を防止しつつ、ウィンドウの下降動作を適切に確保することができる。
【００７１】
特に、第２実施形態によれば、トランジスタＱ２４、Ｑ２５などによって強制駆動回路を制御装置３２内に構成することで、水没時において、制御装置３２内の制御回路３７を介さずに、この強制駆動回路によってウィンドウガラスを下降動作させるように駆動モータ３５を直接駆動することができる。よって、たとえ水没時に制御回路３７が故障したとしても、装置の誤動作やウィンドウの上昇動作を防止しつつ、ウィンドウの下降動作を適切に確保することができる。
【００７２】
また、第２実施形態によれば、スイッチＳＷ５〜ＳＷ８が操作されたときに出力される操作信号の電圧値Ｖ１〜Ｖ４と、水没検出回路３６が水の浸入を検出したときに出力されるスイッチ水没検出信号の電圧値Ｖ５とが異なるようにスイッチ装置３１を回路構成しているので、制御装置３２側でスイッチ装置３１の水没を適切に判別することができる。
【００７３】
また、第２実施形態によれば、スイッチ装置３１内の水没検出回路３６が水の浸入を検出した後は、ウィンドウを下降動作させるためのスイッチＳＷ５、ＳＷ６が操作されたときには、スイッチ装置３１が信号線３４を介して所定信号を出力する一方で、ウィンドウを上昇動作させるためのスイッチＳＷ７、ＳＷ８が操作されたときには、スイッチ装置３１が信号線３４を介して所定信号を出力しないように、スイッチ装置３１が回路構成されているので、スイッチ装置３１が水没したときに、ウィンドウの下降動作を確保しつつ、ウィンドウの上昇動作を確実に防止することができる。
【００７４】
また、第２実施形態によれば、スイッチ装置３１だけでなく、制御装置３２にも水没検出回路３９を設けているので、スイッチ装置３１及び制御装置３２のどちらが先に水没しても、各々の水没を適切に検出することができる。よって、スイッチ装置３１及び制御装置３２のどちらが先に水没しても、装置の誤動作やウィンドウの上昇動作を防止しつつ、ウィンドウの下降動作を適切に確保することができる。
【００７５】
＜変形例＞
上記した実施形態では、スイッチ装置及び制御装置の両方に水没検出回路を設けていたが、他の例では、スイッチ装置のみに水没検出回路を設け、制御装置には水没検出回路を設けなくてもよい。これによっても、水没時において、装置の誤動作やウィンドウの上昇動作を防止しつつ、ウィンドウの下降動作を適切に確保することができる。
【符号の説明】
【００７６】
ＳＷ１〜ＳＷ８  スイッチ
１、３１  スイッチ装置
２、３２  制御装置
３、３３、３４  信号線
４、３５  駆動モータ
１１、２７、３６、３９  水没検出回路
２１、３７  制御回路
２６、３８  モータ駆動回路
２８  比較回路
１０１、１０２  パワーウィンドウ装置
【図１】
2018135726.tif 000003
【図２】
2018135726.tif 000004
【図３】
2018135726.tif 000005
【図４】
2018135726.tif 000006
【図５】
2018135726.tif 000007
【図６】
2018135726.tif 000008
【図７】
2018135726.tif 000009